(57)【特許請求の範囲】
【請求項１】
金属箔及びこの金属箔に形成された活物質層を有し、自身の端部に上記金属箔の両面が露出した集電部を有する電極板を含む電極体と、
金属からなり、上記電極板の上記集電部の集電部端縁に溶接された溶接済み集電部材と、を備え、
上記電極板の上記集電部の上記集電部端縁は、
端縁境界部を互いの境とする、
上記溶接済み集電部材の電極板カバー部に当接または近接して覆われてなる被カバー端縁、及び、
上記電極板カバー部に覆われず、上記溶接済み集電部材よりも外側から視認可能に外部に露出してなる外部露出端縁、を含み、
上記溶接済み集電部材は、
上記電極板カバー部の周縁のうち、上記端縁境界部に近接する近接周縁部を有し、
上記電極板の上記集電部の上記集電部端縁と上記溶接済み集電部材とは、
上記端縁境界部と上記電極板カバー部の上記近接周縁部とで溶接されてなる
電池であって、
上記溶接済み集電部材は、
上記電極板カバー部、及び、
上記電極板カバー部の周縁のうち、上記近接周縁部を含む部位に形成され、上記電極体側とは逆側に向けて突出する周縁突出部、を有する
溶接前集電部材であって、
この溶接前集電部材から見て上記電極体とは逆側で、上記溶接前集電部材よりも上記電極体から離れた位置から、上記集電部端縁の上記端縁境界部を視認可能な形態とされた
溶接前集電部材について、
上記周縁突出部を溶融させて、上記電極板カバー部の上記近接周縁部を、上記電極板の上記集電部のうち上記集電部端縁の上記端縁境界部に溶接してなる
電池。
【請求項２】
請求項１に記載の電池であって、
前記電極板は、
帯状をなし、自身の幅方向一方端部に、帯状に前記集電部を有する帯状電極板であり、
前記電極体は、
上記帯状電極板と上記帯状電極板とは異極で帯状の異極帯状電極板とを帯状のセパレータを介して軸線の周りに捲回してなり、上記帯状電極板の前記集電部端縁が、軸線方向一方側に、渦巻状に配置された捲回電極体であり、
前記電極板カバー部は、
上記渦巻状に配置された上記集電部端縁に前記端縁境界部が複数箇所形成される形態とされ、
上記複数箇所の上記端縁境界部にそれぞれ近接する複数の前記近接周縁部を含み、
上記複数の近接周縁部を含む部位に形成された前記周縁突出部を溶融させて、上記複数の近接周縁部を、上記帯状電極板の上記集電部のうち上記集電部端縁の上記端縁境界部に、それぞれ溶接してなる
電池。
【請求項３】
請求項１に記載の電池であって、
前記電極板は、
自身の端部に前記集電部をそれぞれ有する、同極性の複数の個別電極板であり、
前記電極体は、
上記複数の個別電極板と、上記個別電極板とは異極で複数の異極個別電極板とを、セパレータを介して交互に積層してなり、上記複数の個別電極板の前記集電部端縁が、互いに平行かつ列をなす形態に配置された積層電極体であり、
前記電極板カバー部は、
上記列をなして配置された複数の上記集電部端縁のそれぞれに前記端縁境界部が形成される形態とされ、
複数の上記端縁境界部にそれぞれ近接する複数の前記近接周縁部を含み、
上記複数の近接周縁部を含む部位に形成された前記周縁突出部を溶融させて、上記複数の近接周縁部を、各々の上記個別電極板の上記集電部のうち上記集電部端縁の上記端縁境界部に、それぞれ溶接してなる
電池。
【請求項４】
金属箔及びこの金属箔に形成された活物質層を有し、自身の端部に上記金属箔の両面が露出した集電部を有する電極板を含む電極体と、
金属からなり、上記電極板の上記集電部の集電部端縁に溶接された溶接済み集電部材と、を備え、
上記電極板の上記集電部の上記集電部端縁は、
端縁境界部を互いの境とする、
上記溶接済み集電部材の電極板カバー部に当接または近接して覆われてなる被カバー端縁、及び、
上記電極板カバー部に覆われず、上記溶接済み集電部材よりも外側から視認可能に外部に露出してなる外部露出端縁、を含み、
上記溶接済み集電部材は、
上記電極板カバー部の周縁のうち、上記端縁境界部に近接する近接周縁部を有し、
上記電極板の上記集電部の上記集電部端縁と上記溶接済み集電部材とは、
上記端縁境界部と上記電極板カバー部の上記近接周縁部とで溶接されてなる
電池の製造方法であって、
上記電極板カバー部、及び、上記電極板カバー部の上記周縁のうち上記近接周縁部を含む部位に、上記電極体側とは逆側に向けて突出する周縁突出部を有する溶接前集電部材を用意し、上記電極体に対して、この溶接前集電部材から見て上記電極体とは逆側で、上記溶接前集電部材よりも上記電極体から離れた位置から、上記集電部端縁の上記端縁境界部を視認可能な形態に、上記溶接前集電部材を配置する配置工程と、
上記周縁突出部を溶融させて、上記電極板カバー部の上記近接周縁部を、上記電極板の上記集電部のうち上記集電部端縁の上記端縁境界部に溶接する溶接工程と、を備える
電池の製造方法。
【請求項５】
請求項４に記載の電池の製造方法であって、
前記溶接工程において、エネルギービームを前記周縁突出部に照射して、上記周縁突出部を溶融させる
電池の製造方法。
【発明の詳細な説明】
【技術分野】
【０００１】
本発明は、電極体と、この電極体に溶接した溶接済み集電部材とを備える電池、及び、この電池の製造方法に関する。
【背景技術】
【０００２】
近年、ハイブリッド自動車、電気自動車などの車両や、ノート型パソコン、ビデオカムコーダなどのポータブル電子機器の駆動用電源に、充放電可能な電池が利用されている。
このような電池として、例えば、特許文献１には、電極群（電極体）をなす電極板の端部（集電部端縁）と集電板（溶接前集電部材）とを接合（溶接）する二次電池の製造方法が開示されている。具体的には、主面と、自身の中央部分に形成され、主面が向く方向とは反対側の方向に突出した突出部とを有する本体部を含む集電板を用いて、電極板の端部に、この集電板の主面を当接させながら、突出部を加熱して溶融させ、電極板の端部と集電板とを溶接する。この技術では、集電板の本体部のうち、主面をなす部位の代わりに、突出部を溶融させて溶接のための肉（金属）として用いるので、集電板と電極板とを溶接した際に、主面をなす部位に孔や欠損が発生して、溶接信頼性が低下するのを防止することができる。
【０００３】
また、例えば、特許文献２には、捲回された極板群（電極体）と、この極板群の上方へ突出した一方の極板（電極板）の集電部の先端部分（集電部端縁）に溶接された集電体（溶接済み集電部材）とを備える蓄電池（電池）が開示されている。この蓄電池の集電体は、切り欠き部の縁部（電極板カバー部の周縁）に成型して設けた、極板群側に突出するリブ状突起片（突出部）を有する。そして、この蓄電池では、リブ状突起片が極板の集電部の先端部分と交叉して、その一部分が集電部の先端部分に食い込んで溶接されている（特許文献２の要約及び請求項１参照）。また、その溶接手法として、抵抗溶接が開示されている。
【先行技術文献】
【特許文献】
【０００４】
【特許文献１】特開２００８−１０３３０９号公報
【特許文献２】特開２００９−８７８３５号公報
【発明の概要】
【発明が解決しようとする課題】
【０００５】
しかしながら、この特許文献１の実施例に記載の集電板（溶接前集電部材）では、突出部が溶接前集電部材の本体部の中央部分に形成されているので、溶接した後の溶接済み集電部材と電極板の端部（集電部端縁）との溶接箇所における、電極体と溶接済み集電部材との溶接状態を外部から目視等で容易に確認することができない。
【０００６】
一方、特許文献２の電池では、集電部の先端部分（集電部端縁）とリブ状突起片（突出部）との溶接に先立ち、集電部の集電部端縁と突出部とを突き合わせると、相対的に薄く弱い集電部端縁が不規則に折れ曲がる。このため、抵抗溶接で集電部端縁と突出部とを溶接する場合には、集電部端縁と突出部との接触抵抗がばらついて、各溶接箇所で適切かつ均一な安定した溶接を行うことができない。また、例えば、エネルギービームを用いる溶接手法で集電部端縁と突出部とを溶接しようとすると、薄い集電部端縁をエネルギービームが貫通してしまう虞があるため、集電部端縁と突き合わせられた突出部にのみ選択的にエネルギービームを照射しなければならず、溶接自体が困難である。また、突出部にうまくエネルギービームを照射できたとしても、この突出部を溶融させるだけで肉（金属）の供給が少なく、溶接信頼性が低い。
【０００７】
本発明は、かかる問題を鑑みてなされたものであって、電極体と溶接済み集電部材との溶接状態を容易に確認でき、しかも、溶接の信頼性が高い電池、及び、このような電池の製造方法を提供することを目的とする。
【課題を解決するための手段】
【０００８】
本発明の一態様は、金属箔及びこの金属箔に形成された活物質層を有し、自身の端部に上記金属箔の両面が露出した集電部を有する電極板を含む電極体と、金属からなり、上記電極板の上記集電部の集電部端縁に溶接された溶接済み集電部材と、を備え、上記電極板の上記集電部の上記集電部端縁は、端縁境界部を互いの境とする、上記溶接済み集電部材の電極板カバー部に当接または近接して覆われてなる被カバー端縁、及び、上記電極板カバー部に覆われず、上記溶接済み集電部材よりも外側から視認可能に外部に露出してなる外部露出端縁、を含み、上記溶接済み集電部材は、上記電極板カバー部の周縁のうち、上記端縁境界部に近接する近接周縁部を有し、上記電極板の上記集電部の上記集電部端縁と上記溶接済み集電部材とは、上記端縁境界部と上記電極板カバー部の上記近接周縁部とで溶接されてなる電池であって、上記溶接済み集電部材は、上記電極板カバー部、及び、上記電極板カバー部の周縁のうち、上記近接周縁部を含む部位に形成され、上記電極体側とは逆側に向けて突出する周縁突出部、を有する溶接前集電部材であって、この溶接前集電部材から見て上記電極体とは逆側で、上記溶接前集電部材よりも上記電極体から離れた位置から、上記集電部端縁の上記端縁境界部を視認可能な形態とされた溶接前集電部材について、上記周縁突出部を溶融させて、上記電極板カバー部の上記近接周縁部を、上記電極板の上記集電部のうち上記集電部端縁の上記端縁境界部に溶接してなる電池である。
【０００９】
上述した電池では、溶接済み集電部材は、溶接前集電部材よりも電極体から離れた位置から、集電部端縁の端縁境界部を視認可能な形態とされた溶接前集電部材の周縁突出部を溶融させて、電極板カバー部の近接周縁部を集電部端縁の端縁境界部に溶接してなる。このため、溶接済み集電部材において、電極板カバー部の近接周縁部が溶接された端縁境界部を、溶接済み集電部材よりも電極体から離れた位置から視認することができる。即ち、電極体の電極板の集電部端縁と溶接済み集電部材との溶接状態を、目視等で容易に確認することができる。
【００１０】
また、この電池では、製造の際、電極板の端縁境界部と溶接前集電部材における電極板カバー部の近接周縁部との溶接に、周縁突出部を溶融させた肉（金属）を利用することができる。これにより、端縁境界部と近接周縁部との溶接の信頼性が高い電池とすることができる。
【００１１】
なお、電極板としては、例えば、帯状をなし、自身の幅方向一方端部に、帯状に集電部を有する帯状電極板が挙げられる。また、この帯状電極板を用いた電極体としては、帯状電極板と、この帯状電極板とは異極で帯状の異極帯状電極板とを、帯状のセパレータを介して軸線の周りに捲回してなり、帯状電極板の集電部端縁が、軸線方向一方側に、渦巻状に配置された捲回電極体が挙げられる。
また、電極板として、例えば、自身の端部に集電部をそれぞれ有する、同極性の複数の個別電極板も挙げられる。これら複数の個別電極板を用いた電極体としては、複数の個別電極板と、これら個別電極板とは異極で複数の異極個別電極板とを、セパレータを介して交互に積層してなり、複数の個別電極板の集電部端縁が、互いに平行かつ列をなす形態に配置された積層電極体が挙げられる。
また、周縁突出部を溶融させる手法としては、例えば、レーザビームや電子ビーム等のエネルギービームを周縁突出部に照射して溶融させる手法が挙げられる。
【００１２】
さらに、上述の電池であって、前記電極板は、帯状をなし、自身の幅方向一方端部に、帯状に前記集電部を有する帯状電極板であり、前記電極体は、上記帯状電極板と上記帯状電極板とは異極で帯状の異極帯状電極板とを帯状のセパレータを介して軸線の周りに捲回してなり、上記帯状電極板の前記集電部端縁が、軸線方向一方側に、渦巻状に配置された捲回電極体であり、前記電極板カバー部は、上記渦巻状に配置された上記集電部端縁に前記端縁境界部が複数箇所形成される形態とされ、上記複数箇所の上記端縁境界部にそれぞれ近接する複数の前記近接周縁部を含み、上記複数の近接周縁部を含む部位に形成された前記周縁突出部を溶融させて、上記複数の近接周縁部を、上記帯状電極板の上記集電部のうち上記集電部端縁の上記端縁境界部に、それぞれ溶接してなる電池とすると良い。
【００１３】
上述の電池では、電極板が上述した帯状電極板で、電極体が上述した捲回電極体であり、電極体カバー部が、渦巻状に配置された集電部端縁に端縁境界部が複数箇所形成される形態とされ、これら複数箇所の端縁境界部にそれぞれ近接する複数の近接周縁部を含む。さらに、電極体カバー部は、複数の近接周縁部を含む部位に形成された周縁突出部を溶融させて、複数の近接周縁部を集電部端縁の複数の端縁境界部にそれぞれ溶接してなる。このため、溶接済み集電部材において、複数の近接周縁部がそれぞれ溶接された複数の端縁境界部を、溶接済み集電部材よりも電極体から離れた位置からそれぞれ視認することができる。従って、上述した捲回電極体を備える電池について、電極体の電極板の集電部端縁と溶接済み集電部材との溶接状態を、目視等で容易に確認することができる。
【００１４】
また、この電池でも、製造の際、電極板の複数の端縁境界部と溶接前集電部材における電極板カバー部の近接周縁部との溶接に、それぞれ周縁突出部を溶融させた肉（金属）を利用でき、高い溶接信頼性を有する電池とすることができる。
【００１５】
なお、集電部端縁に端縁境界部が複数箇所形成される形態の、溶接済み集電部材の電極板カバー部としては、例えば、渦巻状に配置され、この渦巻の径方向に見て複数層重なる帯状電極板の集電部端縁を覆いつつ、自身の周縁が渦巻の径方向に延びる形態とした電極板カバー部が挙げられる。
【００１６】
或いは、前述の電池であって、前記電極板は、自身の端部に前記集電部をそれぞれ有する、同極性の複数の個別電極板であり、前記電極体は、上記複数の個別電極板と、上記個別電極板とは異極で複数の異極個別電極板とを、セパレータを介して交互に積層してなり、上記複数の個別電極板の前記集電部端縁が、互いに平行かつ列をなす形態に配置された積層電極体であり、前記電極板カバー部は、上記列をなして配置された複数の上記集電部端縁のそれぞれに前記端縁境界部が形成される形態とされ、複数の上記端縁境界部にそれぞれ近接する複数の前記近接周縁部を含み、上記複数の近接周縁部を含む部位に形成された前記周縁突出部を溶融させて、上記複数の近接周縁部を、各々の上記個別電極板の上記集電部のうち上記集電部端縁の上記端縁境界部に、それぞれ溶接してなる電池とすると良い。
【００１７】
上述の電池では、電極板が上述した複数の個別電極板で、電極体が上述した積層電極体であり、電極体カバー部が、列をなして配置された複数の集電部端縁のそれぞれに端縁境界部が形成される形態とされ、複数の端縁境界部にそれぞれ近接する複数の近接周縁部を含む。さらに、電極体カバー部は、これら複数の近接周縁部を含む部位に形成された周縁突出部を溶融させて、複数の近接周縁部を、各々の個別電極板における集電部端縁の端縁境界部にそれぞれ溶接してなる。このため、溶接済み集電部材において、近接周縁部がそれぞれ溶接された複数の端縁境界部を、溶接済み集電部材よりも電極体から離れた位置からそれぞれ視認することができる。従って、上述した積層電極体を備える電池について、個別電極板の集電部端縁と溶接済み集電部材との溶接状態を、目視等で容易に確認することができる。
【００１８】
また、この電池でも、製造の際、複数の個別電極板の各々の端縁境界部と溶接前集電部材における電極板カバー部の近接周縁部との溶接に、それぞれ周縁突出部を溶融させた肉（金属）を利用でき、高い溶接信頼性を有する電池とすることができる。
【００１９】
本発明の他の態様は、金属箔及びこの金属箔に形成された活物質層を有し、自身の端部に上記金属箔の両面が露出した集電部を有する電極板を含む電極体と、金属からなり、上記電極板の上記集電部の集電部端縁に溶接された溶接済み集電部材と、を備え、上記電極板の上記集電部の上記集電部端縁は、端縁境界部を互いの境とする、上記溶接済み集電部材の電極板カバー部に当接または近接して覆われてなる被カバー端縁、及び、上記電極板カバー部に覆われず、上記溶接済み集電部材よりも外側から視認可能に外部に露出してなる外部露出端縁、を含み、上記溶接済み集電部材は、上記電極板カバー部の周縁のうち、上記端縁境界部に近接する近接周縁部を有し、上記電極板の上記集電部の上記集電部端縁と上記溶接済み集電部材とは、上記端縁境界部と上記電極板カバー部の上記近接周縁部とで溶接されてなる電池の製造方法であって、上記電極板カバー部、及び、上記電極板カバー部の上記周縁のうち上記近接周縁部を含む部位に、上記電極体側とは逆側に向けて突出する周縁突出部を有する溶接前集電部材を用意し、上記電極体に対して、この溶接前集電部材から見て上記電極体とは逆側で、上記溶接前集電部材よりも上記電極体から離れた位置から、上記集電部端縁の上記端縁境界部を視認可能な形態に、上記溶接前集電部材を配置する配置工程と、上記周縁突出部を溶融させて、上記電極板カバー部の上記近接周縁部を、上記電極板の上記集電部のうち上記集電部端縁の上記端縁境界部に溶接する溶接工程と、を備える電池の製造方法である。
【００２０】
上述の電池の製造方法では、上述した配置工程と溶接工程とを備えるので、溶接工程の後に、電極板カバー部の近接周縁部が溶接された端縁境界部を、溶接済み集電部材よりも電極体から離れた位置から視認して溶接の適否を容易に確認することができる。
また、この電池の製造方法のうちの溶接工程では、電極板の端縁境界部と溶接前集電部材の電極板カバー部の近接周縁部との溶接に、周縁突出部を溶融させた肉（金属）を利用することができる。従って、端縁境界部と近接周縁部との溶接信頼性の低下を防止できる。さらに、これら近接周縁部及び端縁境界部について、供給された肉を用いて、適切な溶接を行うことができる。
【００２１】
さらに、上述の電池の製造方法であって、前記溶接工程において、エネルギービームを前記周縁突出部に照射して、上記周縁突出部を溶融させる電池の製造方法とすると良い。
【００２２】
上述の電池の製造方法の溶接工程では、周縁突出部を溶融させるのに、エネルギービームを用いるので、確実に周縁突出部を溶かすことができる。
加えて、周縁突出部は、電極体側とは逆側に向けて突出しているので、これにエネルギービームを照射するのは容易であり、近接周縁部を端縁境界部に確実に溶接できる。
【図面の簡単な説明】
【００２３】
【図１】実施形態１にかかる電池の斜視図である。
【図２】実施形態１にかかる電池の軸線を含む断面図である。
【図３】実施形態１の電池における正極板の斜視図である。
【図４】実施形態１の電池における負極板の斜視図である。
【図５】実施形態１の正極集電部材の説明図である。
【図６】実施形態１の正極集電部材の部分拡大図（図５のＡ部）である。
【図７】実施形態１の溶接前正極集電部材の説明図である。
【図８】実施形態１にかかる電池の製造方法のうち、配置工程の説明図である。
【図９】実施形態１にかかる電池の製造方法のうち、配置工程の説明図（図８のＢ部の部分拡大図）である。
【図１０】実施形態１にかかる電池の製造方法のうち、溶接工程の説明図である。
【図１１】実施形態１にかかる電池の製造方法のうち、溶接工程の説明図（図１０のＣ部の部分拡大図）である。
【図１２】実施形態２にかかる電池の斜視図である。
【図１３】実施形態２の電池における正極板の斜視図である。
【図１４】実施形態２の電池における負極板の斜視図である。
【図１５】実施形態２の正極集電部材の説明図（図１２のＤ部の部分拡大図）である。
【図１６】実施形態２の正極集電部材の説明図（図１５のＦ部の部分拡大図）である。
【図１７】実施形態２の負極集電部材の説明図（図１２のＥ部の部分拡大図）である。
【図１８】実施形態２の負極集電部材の説明図（図１７のＧ部の部分拡大図）である。
【図１９】実施形態２にかかる電池の製造方法のうち、第１配置工程の説明図である。
【図２０】実施形態２にかかる電池の製造方法のうち、第２配置工程の説明図である。
【図２１】実施形態２にかかる電池の製造方法のうち、第１配置工程の説明図（図１９のＨ部の部分拡大図）である。
【図２２】実施形態２にかかる電池の製造方法のうち、第２配置工程の説明図（図２０のＩ部の部分拡大図）である。
【図２３】実施形態２にかかる電池の製造方法のうち、第１溶接工程の説明図である。
【図２４】実施形態２にかかる電池の製造方法のうち、第１溶接工程の説明図（図２３のＪ部の部分拡大図）である。
【図２５】実施形態２にかかる電池の製造方法のうち、第２溶接工程の説明図である。
【図２６】実施形態２にかかる電池の製造方法のうち、第２溶接工程の説明図（図２５のＫ部の部分拡大図）である。
【図２７】実施例の正極集電部材を示す説明図である。
【図２８】実施例の正極集電部材を示す説明図である。
【発明を実施するための形態】
【００２４】
（実施形態１）
次に、本発明の実施形態１について、図面を参照しつつ説明する。
まず、本実施形態１にかかる電池１について説明する。図１に電池１の斜視図を、図２に軸線ＡＸを含む縦断面図をそれぞれ示す。
この電池１は、図１，２に示すように、略円柱形状のリチウムイオン二次電池である。この電池１は、正極板３０、負極板４０及びセパレータ５０を軸線ＡＸの周りに捲回した捲回型の電極体２０と、この電極体２０の正極板３０の正極集電部端縁３３Ｅに溶接された正極集電部材１０とを備える。また、これらのほかに、負極板４０の負極集電部端縁４３Ｅに溶接された負極集電部材６０と、この負極集電部材６０、電極体２０及び正極集電部材１０を内部に収容する電池ケース８０とを備える。
【００２５】
このうち、電池ケース８０は、有底円筒形状をなす金属製の電池ケース本体８１と、円板形状をなす金属製の封口蓋８２とを有する。封口蓋８２は、電池ケース本体８１との間に、絶縁性の樹脂からなる円環状のガスケット８９を介在させて、電池ケース本体８１の開口８１Ｈでかしめられている。これにより、封口蓋８２は、電池ケース本体８１と電気的に絶縁されている。
【００２６】
また、電極体２０は、帯状の正極板３０と、この正極板３０とは異極で帯状の負極板４０とを、ポリエチレンの多孔膜からなる帯状のセパレータ５０を介して軸線ＡＸの周りに捲回してなる（図１，２参照）。具体的には、絶縁性の樹脂からなり、円筒形状の芯部材９６の周囲に、正極板３０、負極板４０及びセパレータ５０を捲回してなる。
なお、この電極体２０では、正極板３０の正極集電部端縁３３Ｅが軸線方向ＤＸの一方側（第１方向ＤＸ１側、即ち、図２中、上方側）に、負極板４０の負極集電部端縁４３Ｅが軸線方向ＤＸの他方側（第２方向ＤＸ２側、即ち、図２中、下方側）に、それぞれ渦巻状に配置されている。
【００２７】
この電極体２０をなす、薄板帯状の負極板４０は、帯状で銅からなる銅箔４１と、この銅箔４１の両主面上に形成された帯状の負極活物質層４９，４９とを有している（図４参照）。このうち、銅箔４１は、幅方向ＤＷ一方の側縁を含み、両面に負極活物質層４９，４９を担持する帯状の担持部４２と、他方の側縁に沿って、自身が帯状に露出する負極集電部４３とを有する。そして、電極体２０において、この負極板４０は、軸線方向ＤＸのうち第２方向ＤＸ２に、負極集電部４３が位置するように配置されている。
なお、負極板４０のうち、この負極集電部４３の第２方向ＤＸ２先端を負極集電部端縁４３Ｅとする（図２参照）。
【００２８】
一方、薄板帯状の正極板３０は、帯状でアルミニウムからなるアルミ箔３１と、このアルミ箔３１の両主面上に形成された帯状の正極活物質層３９，３９とを有している（図３参照）。このうち、アルミ箔３１は、幅方向ＤＷ一方の側縁を含み、両面に正極活物質層３９，３９を担持する帯状の担持部３２と、他方の側縁に沿って自身が帯状に露出する正極集電部３３とを有する。そして、電極体２０において、この正極板３０は、軸線方向ＤＸのうち第１方向ＤＸ１に、正極集電部３３が位置するように配置されている。
なお、正極板３０のうち、この正極集電部３３の第１方向ＤＸ１先端を正極集電部端縁３３Ｅとする（図２参照）。
【００２９】
円板形状で金属からなる負極集電部材６０は、電極体２０と電池ケース８０（電池ケース本体８１）の底部８１Ｂとの間に配置されている（図２参照）。この負極集電部材６０は、電極体２０側を向く第１主面６１と、この第１主面６１の裏側に位置し、電池ケース８０（電池ケース本体８１）の底部８１Ｂ側を向く第２主面６２とを有している。そして、この負極集電部材６０は、第１主面６１において、前述した負極板４０の負極集電部端縁４３Ｅと、また、第２主面６２において、電池ケース８０（電池ケース本体８１）の底部８１Ｂと、それぞれ接合（溶接）している。このため、この負極集電部材６０を通じて、電極体２０の負極板４０と電池ケース８０とが電気的に導通している。
【００３０】
金属からなる正極集電部材１０は、図５に示すように、２つの平板扇形状のカバー部１１，１１と、これら２つのカバー部１１，１１がなす扇形状（１／４円板状）のカナメ部分に位置し、カバー部１１，１１同士を連結する円柱形状の連結部１２とからなる。このうち連結部１２は、その軸芯が電極体２０の軸線ＡＸと同軸になるように配置されている。
また、扇形状のカバー部１１は、その周縁として、径方向に延びる直線状の第１周縁部１１Ｅと円弧状の第２周縁部１１Ｆとを有する（図５参照）。
【００３１】
なお、これら２つのカバー部１１，１１は、図５に示すように、それぞれ渦巻状に配置された正極板３０の正極集電部端縁３３Ｅの約１／４を覆っている。即ち、本実施形態１では、正極集電部材１０が、正極集電部端縁３３Ｅの約半分を覆っている（図５参照）。
従って、渦巻状に配置された正極集電部端縁３３Ｅは、図５のＡ部の拡大図である図６に示すように、このカバー部１１に当接（又は近接）して、このカバー部１１に覆われてなる被カバー端縁３３ＥＵと、カバー部１１に覆われず、正極集電部材１０よりも外側から視認可能に外部に露出してなる外部露出端縁３３ＥＴとを、交互に有している。なお、正極集電部端縁３３Ｅのうち、被カバー端縁３３ＥＵと外部露出端縁３３ＥＴとの境を端縁境界部３３ＥＳとする（図６参照）。
また、カバー部１１は、図６に示すように、第１周縁部１１Ｅ内に、正極集電部端縁３３Ｅ（具体的には端縁境界部３３ＥＳ）に近接する近接周縁部１１ＥＸを複数有することになる。
【００３２】
さらに、これら２つのカバー部１１，１１は、図５に示すように、正極集電部端縁３３Ｅに端縁境界部３３ＥＳが複数箇所形成される形態となっている。具体的には、軸線ＡＸの周りに渦巻状に配置された正極集電部端縁３３Ｅは、軸線ＡＸの径方向に見て幾重にも重なっている（図５参照）。一方、カバー部１１は、その第１周縁部１１Ｅが軸線ＡＸの径方向に延びているので、このカバー部１１で渦巻状の正極集電部端縁３３Ｅを覆うことで、正極集電部端縁３３Ｅの複数の箇所が、被カバー端縁３３ＥＵ及び外部露出端縁３３ＥＴの境である端縁境界部３３ＥＳとなる（図６参照）。
【００３３】
そして、このカバー部１１の第１周縁部１１Ｅのうち、複数の近接周縁部１１ＥＸ，１１ＥＸが、端縁境界部３３ＥＳ，３３ＥＳにそれぞれ接合（溶接）されている（図６参照）。つまり、本実施形態１にかかる電池１は、正極板３０の正極集電部端縁３３Ｅと正極集電部材１０のカバー部１１とが、端縁境界部３３ＥＳと近接周縁部１１ＥＸとで溶接されてなる。このため、電極体２０の正極板３０は、この正極集電部材１０、及び、図２に示す、金属板を波状に屈曲させた金属部材９１を通じて、封口蓋８２に電気的に導通している。
【００３４】
なお、本実施形態１にかかる電池１は、図７に示す溶接前正極集電部材１０Ｂを用いて、図６に示すように、カバー部１１の複数の近接周縁部１１ＥＸ，１１ＥＸを、正極板３０の端縁境界部３３ＥＳ，３３ＥＳにそれぞれ溶接してなる。
この溶接前正極集電部材１０Ｂは、上述した２つのカバー部１１，１１及び連結部１２のほかに、カバー部１１の第１周縁部１１Ｅ（カバー部１１の周縁のうち、上述した近接周縁部１１ＥＸを含む部位）に形成され、図７中、上方に向けて突出する周縁突出部１１Ｐを有している（図７参照）。なお、溶接前正極集電部材１０Ｂは、自身で正極集電部端縁３３Ｅを覆う際、周縁突出部１１Ｐが電極体２０側とは逆側に突出、つまり、軸線方向ＤＸのうち第１方向ＤＸ１に突出する形態に配置される（図８参照）。
【００３５】
また、この溶接前正極集電部材１０Ｂのカバー部１１は、前述した正極集電部材１０のカバー部１１と同様の形態、即ち、電極体２０において、渦巻状に配置された正極板３０の正極集電部端縁３３Ｅの約１／４を覆う扇形状である。このため、溶接前正極集電部材１０Ｂで正極集電部端縁３３Ｅを覆った場合、図８の拡大図である図９に示すように、正極集電部端縁３３Ｅでは、前述した被カバー端縁３３ＥＵと外部露出端縁３３ＥＴとが交互に存在する。そして、溶接前正極集電部材１０Ｂから見て、電極体２０とは逆側で、溶接前正極集電部材１０Ｂよりも電極体２０から離れた位置から、例えば、図８，９に示すように、正極集電部端縁３３Ｅの端縁境界部３３ＥＳを視認することができる。
【００３６】
このように、本実施形態１にかかる電池１では、正極集電部材１０は、溶接前正極集電部材１０Ｂよりも電極体２０から離れた位置から、正極集電部端縁３３Ｅの端縁境界部３３ＥＳを視認可能な形態とされた溶接前正極集電部材１０Ｂの周縁突出部１１Ｐを溶融させて、カバー部１１の近接周縁部１１ＥＸを端縁境界部３３ＥＳに溶接してなる。このため、正極集電部材１０において、カバー部１１の近接周縁部１１ＥＸが溶接された端縁境界部３３ＥＳを、正極集電部材１０よりも電極体２０から離れた位置から視認することができる。即ち、本実施形態１にかかる電池１では、電極体２０の正極板３０の正極集電部端縁３３Ｅと正極集電部材１０との溶接状態を、目視等で容易に確認することができる。
【００３７】
また、この電池１では、製造の際、正極板３０の端縁境界部３３ＥＳと、溶接前正極集電部材１０Ｂにおけるカバー部１１の近接周縁部１１ＥＸとの溶接に、周縁突出部１１Ｐを溶融させた肉（金属）を利用することができる。これにより、端縁境界部３３ＥＳと近接周縁部１１ＥＸとの溶接の信頼性が高い電池１とすることができる。
【００３８】
また、正極板３０が上述した帯状電極板で、電極体２０が上述した捲回電極体であり、カバー部１１が、渦巻状に配置された正極集電部端縁３３Ｅに端縁境界部３３ＥＳが複数箇所形成される形態とされ、これら複数箇所の端縁境界部３３ＥＳ，３３ＥＳにそれぞれ近接する複数の近接周縁部１１ＥＸ，１１ＥＸを含む。さらに、カバー部１１は、複数の近接周縁部１１ＥＸ，１１ＥＸを含む第１周縁部１１Ｅに形成された周縁突出部１１Ｐを溶融させて、近接周縁部１１ＥＸを正極集電部端縁３３Ｅの端縁境界部３３ＥＳにそれぞれ溶接してなる。このため、正極集電部材１０において、近接周縁部１１ＥＸがそれぞれ溶接された端縁境界部３３ＥＳ，３３ＥＳのいずれをも、正極集電部材１０よりも電極体２０から離れた位置から視認することができる。従って、上述した電極体２０を備える電池１について、電極体２０の正極板３０の正極集電部端縁３３Ｅと正極集電部材１０との溶接状態を、目視等で容易に確認することができる。
【００３９】
また、この電池１でも、製造の際、正極板３０の複数の端縁境界部３３ＥＳ，３３ＥＳと、溶接前正極集電部材１０Ｂにおけるカバー部１１の近接周縁部１１ＥＸとの溶接に、それぞれ周縁突出部１１Ｐを溶融させた肉（金属）を利用でき、高い溶接信頼性を有する電池１とすることができる。
【００４０】
次いで、本実施形態１にかかる電池１の製造方法について、図７〜１１を参照しつつ説明する。
まず、電極体２０をなす正極板３０を作製する。具体的には、正極活物質粒子、結着剤及び導電剤を溶媒中で混練してできたペースト（図示しない）を、帯状のアルミ箔３１の両主面に塗布し、その後、ペーストを乾燥させた。なお、ペーストは、アルミ箔３１の幅方向一方の側縁側を帯状に空けて、アルミ箔３１の両主面に塗布した。
さらに、図示しないロールプレスで、アルミ箔３１の両主面上で乾燥させたペーストを圧縮して、正極板３０を作製した（図３参照）。
【００４１】
一方、負極板４０を作製する。具体的には、負極活物質粒子及び結着剤を溶媒中で混練してできたペースト（図示しない）を、帯状の銅箔４１の両主面に塗布し、その後、ペーストを乾燥させた。なお、ペーストは、銅箔４１の幅方向一方の側縁側を帯状に空けて、銅箔４１の両主面に塗布した。
さらに、図示しないロールプレスで、銅箔４１の両主面上で乾燥させたペーストを圧縮して、負極板４０を作製した（図４参照）。
【００４２】
続いて、上述のように作製した正極板３０及び負極板４０を、前述した２つの帯状のセパレータ５０，５０と共に捲回して電極体２０とした。具体的には、円筒形状の芯部材９６の周りに、径方向外側に向けて、セパレータ５０、負極板４０、セパレータ５０、正極板３０の順に重ねた状態で捲回した。
かくして、正極板３０と負極板４０とをセパレータ５０を介して軸線ＡＸの周りに捲回した捲回型の電極体２０を製造した（図２参照）。
【００４３】
次いで、本実施形態１にかかる電池１の製造方法のうちの配置工程について、図７〜９を参照して説明する。
予め、図７に示す、前述した溶接前正極集電部材１０Ｂを用意しておく。そして、この溶接前正極集電部材１０Ｂを、作製した電極体２０の、軸線方向ＤＸのうち第１方向ＤＸ１側に配置する。具体的には、溶接前正極集電部材１０Ｂが、電極体２０のうち、第１方向ＤＸ１に渦巻状に配置された正極板３０の正極集電部端縁３３Ｅの一部を覆うように、溶接前正極集電部材１０Ｂを配置する（図８参照）。
【００４４】
このとき、図８に示すように、溶接前正極集電部材１０Ｂの連結部１２の軸芯が電極体２０の軸線ＡＸと同軸になるように、溶接前正極集電部材１０Ｂを配置する。これにより、溶接前正極集電部材１０Ｂの２つのカバー部１１，１１が、渦巻状に配置された正極板３０の正極集電部端縁３３Ｅの約１／４をそれぞれ覆う。
なお、この溶接前正極集電部材１０Ｂは、図８，９に示すように、溶接前正極集電部材１０Ｂから見て、電極体２０とは逆側で、溶接前正極集電部材１０Ｂよりも電極体２０から離れた位置から、正極集電部端縁３３Ｅの端縁境界部３３ＥＳを視認することができる形態を有している。また、カバー部１１の周縁のうち、直線状の第１周縁部１１Ｅを軸線ＡＸの径方向に配置できるので、正極集電部端縁３３Ｅにおいて、端縁境界部３３ＥＳを複数箇所形成することができる。従って、正極板３０と正極集電部材１０との接合（溶接）箇所を複数確保することができる。
【００４５】
また、図８に示すように、溶接前正極集電部材１０Ｂの周縁突出部１１Ｐが、電極体２０側とは逆側に突出、つまり、第１方向ＤＸ１に突出している。これにより、例えば、前述した特許文献２に記載の蓄電池のように、周縁突出部１１Ｐと正極集電部端縁３３Ｅ（端縁境界部３３ＥＳ）とを直接突き当てずに、端縁境界部３３ＥＳを第１周縁部１１Ｅ（近接周縁部１１ＥＸ）に近接させる。
【００４６】
次いで、本実施形態１にかかる電池１の製造方法のうちの溶接工程について、図１０，１１を参照しつつ説明する。
この溶接工程では、ＹＡＧレーザ光ＬＢを用いて、溶接前正極集電部材１０Ｂの周縁突出部１１Ｐを溶融させて、近接周縁部１１ＥＸを正極板３０の端縁境界部３３ＥＳに溶接する。
即ち、上述した配置工程の後、電極体２０の第１方向ＤＸ１側に配置した溶接前正極集電部材１０Ｂの複数（本実施形態１では４つ）の周縁突出部１１Ｐ，１１Ｐに、ＹＡＧレーザ光ＬＢをそれぞれ照射して、いずれの周縁突出部１１Ｐ，１１Ｐもその全体を溶融させる（図１０参照）。具体的には、周縁突出部１１Ｐにおける、ＹＡＧレーザ光ＬＢに照射される位置を、軸線ＡＸの径方向（図１０では、径方向外から内側）に移動させながら、周縁突出部１１Ｐを溶融させていく。
【００４７】
なお、この溶接工程は、電極体２０及び溶接前正極集電部材１０Ｂにおける第１方向ＤＸ１を鉛直方向上方に向けて行う。このため、周縁突出部１１Ｐを起源とする溶融した肉（金属）が、第１周縁部１１Ｅ（近接周縁部１１ＥＸ）から第２方向ＤＸ２（鉛直方向下方）に垂れて（図１１参照）、近接周縁部１１ＥＸの第２方向ＤＸ２側に近接する、正極集電部端縁３３Ｅの端縁境界部３３ＥＳに接触し濡れて、正極板３０の端縁境界部３３ＥＳと正極集電部材１０の近接周縁部１１ＥＸとが溶接される。
【００４８】
上述した溶接工程の後、電極体２０の負極板４０の負極集電部端縁４３Ｅに、公知の手法で、円板形状の負極集電部材６０を溶接する。そして、正極集電部材１０及び負極集電部材６０をそれぞれ接合（溶接）した電極体２０を、図示しない電解液と共に電池ケース本体８１内に収容する。そして、公知のかしめ法で、電池ケース本体８１の開口８１Ｈを、封口蓋８２及びガスケット８９を用いて封口した。なお、このとき、封口蓋８２と正極集電部材１０との間に金属部材９１を配置する。
かくして、本実施形態１にかかる電池１を製造した。
【００４９】
この本実施形態１にかかる電池１の製造方法では、前述した配置工程と溶接工程とを備えるので、溶接工程の後に、カバー部１１の近接周縁部１１ＥＸが溶接された端縁境界部３３ＥＳを、正極集電部材１０よりも電極体２０から離れた位置から視認して、溶接の適否を容易に確認することができる。
また、この電池１の製造方法のうちの溶接工程では、正極板３０の端縁境界部３３ＥＳと溶接前正極集電部材１０のカバー部１１の近接周縁部１１ＥＸとの溶接に、周縁突出部１１Ｐを溶融させた肉（金属）を利用することができる。従って、端縁境界部３３ＥＳと近接周縁部１１ＥＸとの溶接信頼性の低下を防止できる。さらに、これら近接周縁部１１ＥＸ及び端縁境界部３３ＥＳについて、供給された肉を用いて、適切な溶接を行うことができる。
【００５０】
また、この電池１の製造方法の溶接工程では、周縁突出部１１Ｐを溶融させるのに、エネルギービームであるＹＡＧレーザ光ＬＢを用いるので、確実に周縁突出部１１Ｐを溶かすことができる。
加えて、周縁突出部１１Ｐは、電極体２０側とは逆側に向けて突出しているので、これにＹＡＧレーザ光ＬＢを照射するのは容易であり、近接周縁部１１ＥＸを端縁境界部３３ＥＳに確実に溶接できる。
【００５１】
（実施形態２）
次に、本発明の実施形態２にかかる電池１０１について、図１２〜２６を参照しつつ説明する。
この電池１０１は、電極体が複数の正極板と複数の負極板とをセパレータを介して交互に積層した積層型の電極体である点で、捲回型の電極体２０を備えた実施形態１にかかる電池１と異なる。
そこで、実施形態１にかかる電池１と異なる点を中心に説明し、同様の部分の説明は省略、又は、簡略化する。なお、同様の部分については同様の作用効果を生じる。また、同内容のものには同番号を付して説明する。
【００５２】
本実施形態２にかかる電池１０１は、図１２に示すように、複数の正極板１３０，１３０と複数の負極板１４０，１４０とを、セパレータ１５０を介して、積層方向ＤＬに交互に積層した電極体１２０を備えるリチウムイオン二次電池である。この電池１０１は、この電極体１２０の他に、この電極体１２０の複数の正極板１３０，１３０の正極集電部端縁１３３Ｅ，１３３Ｅに溶接された正極集電部材１１０、及び、複数の負極板１４０，１４０の負極集電部端縁１４３Ｅ，１４３Ｅに溶接された負極集電部材１６０を備える（図１２参照）。なお、正極集電部材１１０、負極集電部材１６０及び電極体１２０は、電池ケース１８０内に収容している。
【００５３】
この電池ケース１８０は、共にアルミニウム製の電池ケース本体１８１及び封口蓋１８２を有する。このうち電池ケース本体１８１は有底矩形筒形であり、電池ケース１８０と電極体１２０との間には、樹脂からなり、箱状に折り曲げた絶縁フィルム（図示しない）が介在させてある。
また、封口蓋１８２は矩形板状であり、電池ケース本体１８１の開口１８１Ｈを閉塞して、この電池ケース本体１８１に溶接されている。この封口蓋１８２には、正極集電部材１１０の正極端子部１１６（後述）、及び、負極集電部材１６０の負極端子部１６６（後述）が貫通しており、図１２中、上方に向く蓋表面１８２ａから突出している。これら正極端子部１１６及び負極端子部１６６と封口蓋１８２との間には、それぞれ絶縁性の樹脂からなる絶縁部材１９５が介在し、互いを絶縁している。さらに、この封口蓋１８２には矩形板状の安全弁１９７も封着されている。
【００５４】
また、電極体１２０は、いずれも矩形薄板状の正極板１３０と、この正極板１３０とは異極である負極板１４０と、ポリエチレンからなるセパレータ１５０とをそれぞれ複数有している。
なお、図１２に示すように、この電極体１２０の第１方向ＤＹ１側、即ち、図１２中、左方側には、複数の正極板１３０，１３０の正極集電部端縁１３３Ｅ，１３３Ｅが、積層方向ＤＬに互いに平行、かつ、列をなして配置されている。また、電極体１２０の第２方向ＤＹ２側、即ち、図１２中、右方側には、複数の負極板１４０，１４０の負極集電部端縁１４３Ｅ，１４３Ｅが、積層方向ＤＬに互いに平行、かつ、列をなして配置されている。
【００５５】
この電極体１２０をなす、矩形薄板状の正極板１３０は、アルミニウムからなるアルミ箔１３１と、このアルミ箔１３１の両主面上に形成された正極活物質層１３９，１３９とを有している（図１３参照）。このうち、アルミ箔１３１は、両主面に正極活物質層１３９，１３９を担持する担持部１３２と、自身の端部に両主面を露出した正極集電部１３３とを有する。
なお、電極体１２０において、この正極板１３０は、上述した第１方向ＤＹ１に、正極集電部１３３が位置するように配置されている。また、この正極板１３０のうち、この正極集電部１３３の第１方向ＤＹ１先端を正極集電部端縁１３３Ｅとする（図１２参照）。
【００５６】
一方、薄板帯状の負極板１４０は、銅からなる銅箔１４１と、この銅箔１４１の両主面上に形成された負極活物質層１４９，１４９とを有している（図１４参照）。このうち、銅箔１４１は、両主面に負極活物質層１４９，１４９を担持する担持部１４２と、自身の端部に両主面を露出した負極集電部１４３とを有する。
なお、電極体１２０において、この負極板１４０は、前述した第２方向ＤＹ２に、負極集電部１４３が位置するように配置されている。また、この負極板１４０のうち、この負極集電部１４３の第２方向ＤＹ２先端を負極集電部端縁１４３Ｅとする（図１２参照）。
【００５７】
金属板材からなる正極集電部材１１０は、図１２のＤ部を第２方向ＤＹ２に見た拡大斜視図である図１５に示すように、略矩形平板状のカバー部１１１と、このカバー部１１１からクランク状に延び、先端部分が電池ケース１８０の外部に延出する正極端子部１１６とを有する。
またカバー部１１１は、その周縁として、積層方向ＤＬに平行に延びる平行周縁部１１１Ｍと、積層方向ＤＬに直交する直交周縁部１１１Ｎとを有する（図１５参照）。
【００５８】
なお、このカバー部１１１は、図１５に示すように、複数の正極板１３０，１３０の正極集電部端縁１３３Ｅ，１３３Ｅのそれぞれについて、図１５中、正極集電部端縁１３３Ｅの上下方向の中央部分を覆っている。このため、各々の正極集電部端縁１３３Ｅは、図１５のＦ部の拡大図である図１６に示すように、このカバー部１１１に当接（又は近接）して、このカバー部１１１に覆われてなる被カバー端縁１３３ＥＵと、カバー部１１１に覆われず、正極集電部材１１０よりも外側から視認可能に外部に露出してなる外部露出端縁１３３ＥＴとを有している。なお、実施形態１と同様、各々の正極集電部端縁１３３Ｅについて、被カバー端縁１３３ＥＵと外部露出端縁１３３ＥＴとの境を端縁境界部１３３ＥＳとする（図１６参照）。
また、このカバー部１１１は、図１６に示すように、この平行周縁部１１１Ｍ内に、各々の正極集電部端縁１３３Ｅ（具体的には、端縁境界部１３３ＥＳ）に近接する近接周縁部１１１ＭＸを複数有することになる。
【００５９】
さらに、このカバー部１１１の平行周縁部１１１Ｍにおける近接周縁部１１１ＭＸ，１１１ＭＸは、それぞれ端縁境界部１３３ＥＳ，１３３ＥＳに接合（溶接）されている（図１６参照）。つまり、本実施形態２にかかる電池１０１では、各々の正極板１３０の正極集電部端縁１３３Ｅは、端縁境界部１３３ＥＳで近接周縁部１１１ＭＸと溶接されてなる。このため、電極体１２０をなす複数の正極板１３０，１３０はいずれも、この正極集電部材１１０（カバー部１１１及び正極端子部１１６）を通じて、電池１０１の外部と導通することができる。
【００６０】
一方、金属板材からなる負極集電部材１６０は、図１２のＥ部の拡大図である図１７に示すように、略矩形平板状のカバー部１６１と、このカバー部１６１からクランク状に延び、先端部分が電池ケース１８０の外部に延出する負極端子部１６６とを有する。
またカバー部１６１は、正極集電部材１１０と同様、その周縁として、積層方向ＤＬに平行に延びる平行周縁部１６１Ｍと、積層方向ＤＬに直交する直交周縁部１６１Ｎとを有する（図１７参照）。
【００６１】
なお、このカバー部１６１は、図１７に示すように、複数の負極板１４０，１４０の負極集電部端縁１４３Ｅ，１４３Ｅのそれぞれについて、図１７中、負極集電部端縁１４３Ｅの上下方向の中央部分を覆っている。このため、各々の負極集電部端縁１４３Ｅは、図１７のＧ部の拡大図である図１８に示すように、このカバー部１６１に当接（又は近接）して、このカバー部１６１に覆われてなる被カバー端縁１４３ＥＵと、カバー部１６１に覆われず、負極集電部材１６０よりも外側から視認可能に外部に露出してなる外部露出端縁１４３ＥＴとを有している。なお、各々の負極集電部端縁１４３Ｅについて、被カバー端縁１４３ＥＵと外部露出端縁１４３ＥＴとの境を端縁境界部１４３ＥＳとする（図１８参照）。
また、このカバー部１６１は、図１８に示すように、この平行周縁部１６１Ｍ内に、各々の負極集電部端縁１４３Ｅ（具体的には、端縁境界部１４３ＥＳ）に近接する近接周縁部１６１ＭＸを複数有することになる。
【００６２】
さらに、このカバー部１６１の平行周縁部１６１Ｍにおける近接周縁部１６１ＭＸ，１６１ＭＸは、それぞれ端縁境界部１４３ＥＳ，１４３ＥＳに接合（溶接）されている（図１８参照）。つまり、本実施形態２にかかる電池１０１では、各々の負極板１４０の負極集電部端縁１４３Ｅは、端縁境界部１４３ＥＳで近接周縁部１６１ＭＸと溶接されてなる。このため、電極体１２０をなす複数の負極板１４０，１４０はいずれも、この負極集電部材１６０（カバー部１６１及び負極端子部１６６）を通じて、電池１０１の外部と導通することができる。
【００６３】
なお、本実施形態２にかかる電池１０１の製造にあたっては、図１９に示す溶接前正極集電部材１１０Ｂ、及び、図２０に示す溶接前負極集電部材１６０Ｂを用いている。
このうち、溶接前正極集電部材１１０Ｂは、前述したカバー部１１１及び正極端子部１１６のほかに、カバー部１１１の平行周縁部１１１Ｍ（カバー部１１１の周縁のうち、上述した近接周縁部１１１ＭＸを含む部位）から、図１９中、右側から左側に向けて突出する周縁突出部１１１Ｐを有している。なお、この溶接前正極集電部材１１０Ｂは、図１９に示すように、自身で正極集電部端縁１３３Ｅの一部を覆う際、周縁突出部１１１Ｐが電極体１２０側とは逆側に突出、つまり、第１方向ＤＹ１に突出する形態に配置される。
【００６４】
また、この溶接前正極集電部材１１０Ｂのカバー部１１１は、電極体１２０において、複数の正極板１３０，１３０の正極集電部端縁１３３Ｅ，１３３Ｅのそれぞれについて、図１９中、正極集電部端縁１３３Ｅの上下方向の中央部分を覆う形状である。このため、溶接前正極集電部材１１０Ｂで正極集電部端縁１３３Ｅを覆った場合、図１９のＨ部の拡大図である図２１に示すように、複数の正極板１３０，１３０はいずれも、自身の正極集電部端縁１３３Ｅに、前述した被カバー端縁１３３ＥＵと外部露出端縁１３３ＥＴとを有している。そして、溶接前正極集電部材１１０Ｂから見て、電極体１２０とは逆側で、溶接前正極集電部材１１０Ｂよりも電極体１２０から離れた位置から、例えば、図１９，２１に示すように、正極集電部端縁１３３Ｅの端縁境界部１３３ＥＳを視認することができる。
【００６５】
一方、溶接前負極集電部材１６０Ｂも、上述した溶接前正極集電部材１１０Ｂと同様、前述したカバー部１６１及び負極端子部１６６のほかに、カバー部１６１の平行周縁部１６１Ｍから、図２０中、右側から左側に向けて突出する周縁突出部１６１Ｐを有している。なお、この溶接前負極集電部材１６０Ｂは、図２０に示すように、自身で負極集電部端縁１４３Ｅの一部を覆う際、周縁突出部１６１Ｐが電極体１２０側とは逆側に突出、つまり、第２方向ＤＹ２に突出する形態に配置される。
【００６６】
また、この溶接前負極集電部材１６０Ｂのカバー部１６１は、溶接前正極集電部材１１０Ｂと同様、電極体１２０において、複数の負極板１４０，１４０の負極集電部端縁１４３Ｅ，１４３Ｅのそれぞれについて、図２０中、負極集電部端縁１４３Ｅの上下方向の中央部分を覆う形状である。このため、溶接前負極集電部材１６０Ｂで負極集電部端縁１４３Ｅを覆った場合、図２０のＩ部の拡大図である図２２に示すように、複数の負極板１４０，１４０はいずれも、自身の負極集電部端縁１４３Ｅに、前述した被カバー端縁１４３ＥＵと外部露出端縁１４３ＥＴとを有している。そして、溶接前負極集電部材１６０Ｂから見て、電極体１２０とは逆側で、溶接前負極集電部材１６０Ｂよりも電極体１２０から離れた位置から、例えば、図２０，２２に示すように、負極集電部端縁１４３Ｅの端縁境界部１４３ＥＳを視認することができる。
【００６７】
このように、本実施形態２にかかる電池１０１では、正極集電部材１１０は、溶接前正極集電部材１１０Ｂよりも電極体１２０から離れた位置から、正極集電部端縁１３３Ｅの端縁境界部１３３ＥＳを視認可能な形態とされた溶接前正極集電部材１１０Ｂの周縁突出部１１１Ｐを溶融させて、カバー部１１１の近接周縁部１１１ＭＸを端縁境界部１３３ＥＳに溶接してなる。また同様に、負極集電部材１６０についても、溶接前負極集電部材１６０Ｂよりも電極体１２０から離れた位置から、負極集電部端縁１４３Ｅの端縁境界部１４３ＥＳを視認可能な形態とされた溶接前負極集電部材１６０Ｂの周縁突出部１６１Ｐを溶融させて、カバー部１６１の近接周縁部１６１ＭＸを端縁境界部１４３ＥＳに溶接してなる。
【００６８】
このため、正極集電部材１１０において、カバー部１１１の近接周縁部１１１ＭＸが溶接された端縁境界部１３３ＥＳを、正極集電部材１１０よりも電極体１２０から離れた位置から視認することができる。即ち、本実施形態２にかかる電池１０１では、電極体１２０における、正極板１３０の正極集電部端縁１３３Ｅと正極集電部材１１０との溶接状態を、目視等で容易に確認することができる。
さらに、負極集電部材１６０においても、カバー部１６１の近接周縁部１６１ＭＸが溶接された端縁境界部１４３ＥＳを、負極集電部材１６０よりも電極体１２０から離れた位置から視認することができる。即ち、本実施形態２にかかる電池１０１では、電極体１２０における、負極板１４０の負極集電部端縁１４３Ｅと負極集電部材１６０との溶接状態を、目視等で容易に確認することができる。
【００６９】
また、この電池１０１では、製造の際、正極板１３０の端縁境界部１３３ＥＳと、溶接前正極集電部材１１０Ｂにおけるカバー部１１１の近接周縁部１１１ＭＸとの溶接に、周縁突出部１１１Ｐを溶融させた肉（金属）を利用することができる。これにより、端縁境界部１３３ＥＳと近接周縁部１１１ＭＸとの溶接の信頼性が高い電池１０１とすることができる。
さらに、この電池１０１では、製造の際、負極板１４０の端縁境界部１４３ＥＳと、溶接前負極集電部材１６０Ｂにおけるカバー部１６１の近接周縁部１６１ＭＸとの溶接に、周縁突出部１６１Ｐを溶融させた肉（金属）を利用することができる。これにより、正極側と同様、端縁境界部１４３ＥＳと近接周縁部１６１ＭＸとの溶接の信頼性が高い電池１０１とすることができる。
【００７０】
また、この電池１０１では、正極板１３０が前述した複数の正極板で、負極板１４０が前述した複数の負極板で、電極体１２０が前述した積層型の電極体である。そして、正極集電部材１１０のカバー部１１１は、列をなして配置された複数の正極集電部端縁１３３Ｅ，１３３Ｅのそれぞれに端縁境界部１３３ＥＳが形成される形態とされ、また、複数の端縁境界部１３３ＥＳ，１３３ＥＳにそれぞれ近接する複数の近接周縁部１１１ＭＸ，１１１ＭＸを含む。さらに、カバー部１１１は、平行周縁部１１１Ｍに形成された周縁突出部１１１Ｐを溶融させて、複数の近接周縁部１１１ＭＸ，１１１ＭＸを、各々の正極板１３０における端縁境界部１３３ＥＳにそれぞれ溶接してなる。
このため、正極集電部材１１０において、近接周縁部１１１ＭＸがそれぞれ溶接された複数の端縁境界部１３３ＥＳ，１３３ＥＳを、正極集電部材１１０よりも電極体１２０から離れた位置からそれぞれ視認することができる。従って、上述した積層型の電極体１２０を備える電池１０１について、正極板１３０の正極集電部端縁１３３Ｅと正極集電部材１１０との溶接状態を、目視等で容易に確認することができる。
【００７１】
また、この電池１０１でも、製造の際、複数の正極板１３０，１３０の各々の端縁境界部１３３ＥＳと、溶接前正極集電部材１１０Ｂにおけるカバー部１１１の近接周縁部１１１ＭＸとの溶接に、それぞれ周縁突出部１１１Ｐを溶融させた肉（金属）を利用でき、高い溶接信頼性を有する電池１０１とすることができる。
【００７２】
さらに、負極集電部材１６０のカバー部１６１は、正極集電部材１１０と同様、複数の負極集電部端縁１４３Ｅ，１４３Ｅのそれぞれに端縁境界部１４３ＥＳが形成される形態とされ、また、複数の端縁境界部１４３ＥＳ，１４３ＥＳにそれぞれ近接する複数の近接周縁部１６１ＭＸ，１６１ＭＸを含む。さらに、このカバー部１６１は、周縁突出部１６１Ｐを溶融させて、複数の近接周縁部１６１ＭＸ，１６１ＭＸを、各々の端縁境界部１４３ＥＳにそれぞれ溶接してなる。
このため、負極集電部材１６０においても、正極集電部材１１０と同様、近接周縁部１６１ＭＸがそれぞれ溶接された複数の端縁境界部１４３ＥＳ，１４３ＥＳを、負極集電部材１６０よりも電極体１２０から離れた位置からそれぞれ視認することができる。  
【００７３】
また、この電池１０１でも、製造の際、複数の負極板１４０，１４０の各々の端縁境界部１４３ＥＳと、溶接前負極集電部材１６０Ｂにおけるカバー部１６１の近接周縁部１６１ＭＸとの溶接に、それぞれ周縁突出部１６１Ｐを溶融させた肉（金属）を利用でき、高い溶接信頼性を有する電池１０１とすることができる。
【００７４】
次いで、本実施形態２にかかる電池１０１の製造方法について、図１９〜２６を参照しつつ説明する。
まず、電極体１２０をなす正極板１３０を作製する。具体的には、正極活物質粒子、結着剤及び導電剤を溶媒中で混練してできたペースト（図示しない）を、帯状のアルミ箔（図示しない）の両主面に塗布し、その後、ペーストを乾燥させた。なお、ペーストは、アルミ箔の幅方向一方の側縁側を帯状に空けて、アルミ箔の両主面に塗布した。
その後、図示しないロールプレスで、アルミ箔の両主面上で乾燥させたペーストを圧縮し、さらに、図示しないカッターで、アルミ箔と、このアルミ箔上で乾燥したペーストとを幅方向に裁断した。
かくして、図１３に示す、矩形薄板状の正極板１３０を複数作製した。
【００７５】
一方、負極板１４０を作製する。具体的には、負極活物質粒子及び結着剤を溶媒中で混練してできたペースト（図示しない）を、帯状の銅箔（図示しない）の両主面に塗布し、その後、ペーストを乾燥させた。なお、ペーストは、銅箔の幅方向一方の側縁側を帯状に空けて、銅箔の両主面に塗布した。
その後、図示しないロールプレスで、銅箔の両主面上で乾燥させたペーストを圧縮し、さらに、図示しないカッターで、銅箔と、この銅箔上で乾燥したペーストとを幅方向に裁断した。
かくして、図１４に示す、矩形薄板状の負極板１４０を複数作製した。
【００７６】
続いて、上述のように作製した複数の正極板１３０，１３０と、複数の負極板１４０，１４０とを、前述したセパレータ１５０を介して積層させた。なお、このとき、正極板１３０の正極集電部１３３と、負極板１４０の負極集電部１４３とが、できあがりの電極体１２０において互いに逆側の方向に延出するように、正極板１３０及び負極板１４０を配置する。
かくして、複数の正極板１３０，１３０と負極板１４０，１４０とをセパレータ１５０を介して積層した積層型の電極体１２０を製造した（図１２参照）。
【００７７】
次いで、本実施形態２にかかる電池１０１の製造方法のうちの第１配置工程について、図１９，２１を参照して説明する。
予め、図１９に示す、前述した溶接前正極集電部材１１０Ｂを用意しておく。そして、この溶接前正極集電部材１１０Ｂを、作製した電極体１２０の第１方向ＤＹ１側に配置する。
具体的には、溶接前正極集電部材１１０Ｂのカバー部１１１が、複数の正極板１３０，１３０の正極集電部端縁１３３Ｅ，１３３Ｅのそれぞれについて、図１９中、正極集電部端縁１３３Ｅの上下方向の中央部分を覆うように、溶接前正極集電部材１１０Ｂを配置する。このとき、カバー部１１１の周縁のうちの平行周縁部１１１Ｍと、複数の正極板１３０，１３０の積層方向ＤＬとを平行にする。
【００７８】
なお、溶接前正極集電部材１１０Ｂは、図１９，２１に示すように、溶接前正極集電部材１１０Ｂから見て、電極体１２０とは逆側で、溶接前正極集電部材１１０Ｂよりも電極体１２０から離れた位置から、正極集電部端縁１３３Ｅの端縁境界部１３３ＥＳを視認することができる形態を有している。このため、各々の正極板１３０の正極集電部端縁１３３Ｅにおいて、端縁境界部１３３ＥＳを形成することができる。従って、各々の正極板１３０と正極集電部材１１０との接合（溶接）箇所を確保できる。
【００７９】
また、図１９に示すように、溶接前正極集電部材１１０Ｂの周縁突出部１１１Ｐが、電極体１２０側とは逆側に突出、つまり、第１方向ＤＹ１に突出している。これにより、例えば、前述した特許文献２に記載の蓄電池のように、周縁突出部１１１Ｐと正極集電部端縁１３３Ｅ（端縁境界部１３３ＥＳ）とを直接突き当てずに、端縁境界部１３３ＥＳを平行周縁部１１１Ｍ（近接周縁部１１１ＭＸ）に近接させる。
【００８０】
次いで、本実施形態１にかかる電池１の製造方法のうちの第１溶接工程について、図２３，２４を参照しつつ説明する。
この第１溶接工程では、前述した実施形態１と同様、ＹＡＧレーザ光ＬＢを用いて、溶接前正極集電部材１１０Ｂの周縁突出部１１１Ｐを溶融させて、近接周縁部１１１ＭＸを各々の正極板１３０の端縁境界部１３３ＥＳに溶接する。
即ち、上述した第１配置工程の後、電極体１２０の第１方向ＤＹ１側に配置した溶接前正極集電部材１１０Ｂの複数（本実施形態２では３つ）の周縁突出部１１１Ｐ，１１１Ｐに、ＹＡＧレーザ光ＬＢをそれぞれ照射して、いずれの周縁突出部１１１Ｐ，１１１Ｐもその全体を溶融させる（図２３参照）。具体的には、周縁突出部１１Ｐにおける、ＹＡＧレーザ光ＬＢに照射される位置を、積層方向ＤＬに複数回移動させながら、周縁突出部１１１Ｐを溶融させていく。
【００８１】
なお、この第１溶接工程は、電極体１２０及び溶接前正極集電部材１１０Ｂにおける第１方向ＤＹ１を鉛直方向上方に向けて行う（図２３参照）。このため、周縁突出部１１１Ｐを起源とする溶融した肉（金属）が、平行周縁部１１１Ｍ（近接周縁部１１１ＭＸ）から第２方向ＤＹ２（鉛直方向下方）に垂れて（図２４参照）、近接周縁部１１１ＭＸの第２方向ＤＹ２側に近接する、正極集電部端縁１３３Ｅの端縁境界部１３３ＥＳに接触し濡れて、正極板１３０の端縁境界部１３３ＥＳと正極集電部材１１０の近接周縁部１１１ＭＸとが溶接される。
【００８２】
次いで、本実施形態２にかかる電池１０１の製造方法のうちの第２配置工程について、図２０，２２を参照して説明する。
予め、図２０に示す、前述した溶接前負極集電部材１６０Ｂを用意しておく。そして、この溶接前負極集電部材１６０Ｂを、作製した電極体１２０の第２方向ＤＹ２側に配置する。
具体的には、溶接前負極集電部材１６０Ｂのカバー部１６１が、複数の負極板１４０，１４０の負極集電部端縁１４３Ｅ，１４３Ｅのそれぞれについて、図２１中、負極集電部端縁１４３Ｅの上下方向の中央部分を覆うように、溶接前負極集電部材１６０Ｂを配置する。このとき、カバー部１６１の周縁のうちの平行周縁部１６１Ｍと、複数の負極板１４０，１４０の積層方向ＤＬとを平行にする。
なお、溶接前負極集電部材１６０Ｂは、図２０，２２に示すように、溶接前負極集電部材１６０Ｂから見て、電極体１２０とは逆側で、溶接前負極集電部材１６０Ｂよりも電極体１２０から離れた位置から、負極集電部端縁１４３Ｅの端縁境界部１４３ＥＳを視認することができる形態を有している。このため、各々の負極板１４０の負極集電部端縁１４３Ｅにおいて、端縁境界部１４３ＥＳを形成することができる。従って、各々の負極板１４０と負極集電部材１６０との接合（溶接）箇所を確保できる。
【００８３】
また、図２１に示すように、溶接前負極集電部材１６０Ｂの周縁突出部１６１Ｐが、電極体１２０側とは逆側に突出、つまり、第２方向ＤＹ２に突出している。これにより、例えば、前述した特許文献２に記載の蓄電池のように、周縁突出部１６１Ｐと負極集電部端縁１４３Ｅ（端縁境界部１４３ＥＳ）とを直接突き当てずに、端縁境界部１４３ＥＳを平行周縁部１６１Ｅ（近接周縁部１６１ＭＸ）に近接させる。
【００８４】
次いで、本実施形態１にかかる電池１の製造方法のうちの第２溶接工程について、図２５，２６を参照しつつ説明する。
この第２溶接工程では、前述した第１溶接工程と同様、ＹＡＧレーザ光ＬＢを用いて、溶接前負極集電部材１６０Ｂの周縁突出部１６１Ｐを溶融させて、近接周縁部１６１ＭＸを各々の負極板１４０の端縁境界部１４３ＥＳに溶接する。
即ち、上述した第２配置工程の後、電極体１２０の第２方向ＤＹ２側に配置した溶接前負極集電部材１６０Ｂの複数（本実施形態２では３つ）の周縁突出部１６１Ｐ，１６１Ｐに、ＹＡＧレーザ光ＬＢをそれぞれ照射して、全ての周縁突出部１６１Ｐ，１６１Ｐを自身全体にわたって溶融させる（図２５参照）。
【００８５】
なお、この第２溶接工程でも、電極体１２０及び溶接前負極集電部材１６０Ｂにおける第２方向ＤＹ２を鉛直方向上方に向けて行う（図２５参照）。このため、周縁突出部１６１Ｐを起源とする溶融した肉（金属）が、平行周縁部１６１Ｍ（近接周縁部１６１ＭＸ）から第１方向ＤＹ１（鉛直方向下方）に垂れて（図２６参照）、近接周縁部１６１ＭＸの第１方向ＤＹ１側に近接する、負極周縁部端縁１４３Ｅの端縁境界部１４３ＥＳに接触し濡れて、負極板１４０の端縁境界部１４３ＥＳと負極集電部材１６０の近接周縁部１６１ＭＸとが溶接される。
【００８６】
上述の第２溶接工程の後、正極集電部材１１０の正極端子部１１６、及び、負極集電部材１６０の負極端子部１６６を、絶縁部材１９５を介して、封口蓋１８２にそれぞれ貫通させ、封口蓋１８２の蓋表面１８２ａに正極端子部１１６及び負極端子部１６６を突出させる。そして、電極体１２０を電池ケース本体１８１内に収容し、封口蓋１８２で電池ケース本体１８１の開口１８１Ｈを封口した。その後、図示しない電解液を電池ケース１８０内に注液し、封口蓋１８２に安全弁１９７を封着した。
かくして、本実施形態２にかかる電池１０１ができあがる。
【００８７】
この本実施形態２にかかる電池１０１の製造方法では、前述した第１配置工程、第２配置工程、第１溶接工程及び第２溶接工程を備えるので、第１溶接工程の後に、正極集電部材１１０のカバー部１１１の近接周縁部１１１ＭＸが溶接された正極板１３０の端縁境界部１３３ＥＳを、正極集電部材１１０よりも電極体１２０から離れた位置から視認して、溶接の適否を容易に確認することができる。また、第２溶接工程の後に、負極集電部材１６０のカバー部１６１の近接周縁部１６１ＭＸが溶接された負極板１４０の端縁境界部１４３ＥＳを、負極集電部材１６０よりも電極体１２０から離れた位置から視認して、溶接の適否を容易に確認することができる。
【００８８】
また、この電池１０１の製造方法のうちの第１溶接工程では、正極板１３０の端縁境界部１３３ＥＳと溶接前正極集電部材１１０Ｂのカバー部１１１の近接周縁部１１１ＭＸとの溶接に、周縁突出部１１１Ｐを溶融させた肉（金属）を利用することができる。従って、端縁境界部１３３ＥＳと近接周縁部１１１ＭＸとの溶接信頼性の低下を防止できる。さらに、これら近接周縁部１１１ＭＸ及び端縁境界部１３３ＥＳについて、供給された肉を用いて、適切な溶接を行うことができる。
さらに、第２溶接工程では、負極板１４０の端縁境界部１４３ＥＳと溶接前負極集電部材１６０Ｂのカバー部１６１の近接周縁部１６１ＭＸとの溶接に、周縁突出部１６１Ｐを溶融させた肉（金属）を利用することができる。従って、端縁境界部１４３ＥＳと近接周縁部１６１ＭＸとの溶接信頼性の低下を防止できる。さらに、これら近接周縁部１６１ＭＸ及び端縁境界部１４３ＥＳについて、供給された肉を用いて、適切な溶接を行うことができる。
【００８９】
また、この電池１０１の製造方法の第１溶接工程では、溶接前正極集電部材１１０Ｂの周縁突出部１１１Ｐを溶融させるのに、エネルギービームのＹＡＧレーザ光ＬＢを用いるので、確実に周縁突出部１１１Ｐを溶かすことができる。
加えて、周縁突出部１１１Ｐは、電極体１２０側とは逆側に向けて突出しているので、これにＹＡＧレーザ光ＬＢを照射するのは容易であり、近接周縁部１１１ＭＸを端縁境界部１３３ＥＳに確実に溶接できる。
さらに、第２溶接工程では、溶接前負極集電部材１６０Ｂの周縁突出部１６１Ｐを溶融させるのに、第１溶接工程と同様、ＹＡＧレーザ光ＬＢを用いるので、確実に周縁突出部１６１Ｐを溶かすことができる。
加えて、周縁突出部１６１Ｐは、電極体１２０側とは逆側に向けて突出しているので、これにＹＡＧレーザ光ＬＢを照射するのは容易であり、近接周縁部１６１ＭＸを端縁境界部１４３ＥＳに確実に溶接できる。
【００９０】
以上において、本発明を実施形態１，２に即して説明したが、本発明は上記実施形態に限定されるものではなく、その要旨を逸脱しない範囲で、適宜変更して適用できることは言うまでもない。
例えば、実施形態１では、正極側の正極集電部材１０について、本発明を適用した例を示したが、負極側の負極集電部材について、本発明を適用しても良い。さらに、正極側の正極集電部材及び負極側の負極集電部材の両方について、本発明を適用しても良い。
また、実施形態１では、円筒形状の捲回型電極体を備える電池について示したが、円筒形状のほか、扁平楕円形状の捲回型電極体を備える電池としても良い。
【００９１】
また、実施形態１では、図５，７に示すように、２つの平板扇形状のカバー部１１，１１と、これら２つのカバー部１１，１１がなす扇形状（１／４円板状）のカナメ部分に位置し、カバー部１１，１１同士を連結する円柱形状の連結部１２とからなる正極集電部材１０を用いた例を示した。しかし、集電部材の形態としては他の形態についても採用することができる。例えば、図２７（ａ）に示すように、円板形状のカバー部２１１の一箇所に、径方向に伸びるスリットＳＬを配置している正極集電部材２１０が挙げられる。なお、この正極集電部材２１０のカバー部２１１は、その周縁として、実施形態１の正極集電部材１０と同様の、径方向に延びる直線状の第１周縁部２１１Ｅを有している。そして、スリットＳＬには、２つの第１周縁部２１１Ｅ，２１１Ｅが配置されている。
また、例えば、図２７（ｂ）に示すように、円板形状のカバー部３１１の２箇所に上述したスリットＳＬ、ＳＬを配置している正極集電部材３１０が挙げられる。なお、この正極集電部材３１０のカバー部３１１は、１／２円板状をなしており、実施形態１の正極集電部材１０と同様の、径方向に延びる直線状の第１周縁部３１１Ｅを有している。そして、スリットＳＬには、２つの第１周縁部３１１Ｅ，３１１Ｅが配置されている。
また、例えば、図２８に示すように、径方向に延びる曲線状の第１周縁部４１１Ｅを有するカバー部４１１を備える正極集電部材４１０を用いても良い。
【００９２】
また、実施形態２では、第２溶接工程の後に、正極集電部材１１０の正極端子部１１６、及び、負極集電部材１６０の負極端子部１６６を、絶縁部材１９５を介して、封口蓋１８２にそれぞれ貫通させた。しかし、例えば、第１配置工程や第２配置工程の前に、封口蓋に、溶接前正極集電部材の正極端子部、及び、溶接前負極集電部材の負極端子部をそれぞれ貫通させておき、その後、第１配置工程、第１溶接工程、第２配置工程及び第２配置工程を行っても良い。
【符号の説明】
【００９３】
１，１０１  電池
１０，１１０，２１０，３１０，４１０  正極集電部材（溶接済み集電部材）
１０Ｂ，１１０Ｂ  溶接前正極集電部材（溶接前集電部材）
１１，１１１，１６１，２１１，３１１，４１１  カバー部（電極板カバー部）
１１Ｅ，２１１Ｅ，３１１Ｅ，４１１Ｅ  第１周縁部（近接周縁部を含む部位）
１１ＥＸ，１１１ＭＸ，１６１ＭＸ  近接周縁部
１１Ｐ，１１１Ｐ，１６１Ｐ  周縁突出部
２０  電極体（捲回電極体）
３０  正極板（電極板，帯状電極板）
３１，１３１  アルミ箔（金属箔）
３３，１３３  正極集電部（集電部）
３３Ｅ，１３３Ｅ  正極集電部端縁（集電部端縁）
３３ＥＳ，１３３ＥＳ，１４３ＥＳ  端縁境界部
３３ＥＴ，１３３ＥＴ，１４３ＥＴ  外部露出端縁
３３ＥＵ，１３３ＥＵ，１４３ＥＵ  被カバー端縁
３９，１３９  正極活物質層（活物質層）
４０  負極板（異極帯状電極板）
５０，１５０  セパレータ
１１１Ｍ，１６１Ｍ  平行周縁部（近接周縁部を含む部位）
１２０  電極体（積層電極体）
１３０  正極板（電極板，個別電極板，異極個別電極板）
１４０  負極板（電極板，個別電極板，異極個別電極板）
１４１  銅箔（金属箔）
１４３  負極集電部（集電部）
１４３Ｅ  負極集電部端縁（集電部端縁）
１６０  負極集電部材（溶接済み集電部材）
１６０Ｂ  溶接前負極集電部材（溶接前集電部材）
ＡＸ  軸線
ＤＷ  幅方向
ＤＸ  軸線方向
ＬＢ  ＹＡＧレーザ光（エネルギービーム）
【図１】
0005617687.tif 000002
【図２】
0005617687.tif 000003
【図３】
0005617687.tif 000004
【図４】
0005617687.tif 000005
【図５】
0005617687.tif 000006
【図６】
0005617687.tif 000007
【図７】
0005617687.tif 000008
【図８】
0005617687.tif 000009
【図９】
0005617687.tif 000010
【図１０】
0005617687.tif 000011
【図１１】
0005617687.tif 000012
【図１２】
0005617687.tif 000013
【図１３】
0005617687.tif 000014
【図１４】
0005617687.tif 000015
【図１５】
0005617687.tif 000016
【図１６】
0005617687.tif 000017
【図１７】
0005617687.tif 000018
【図１８】
0005617687.tif 000019
【図１９】
0005617687.tif 000020
【図２０】
0005617687.tif 000021
【図２１】
0005617687.tif 000022
【図２２】
0005617687.tif 000023
【図２３】
0005617687.tif 000024
【図２４】
0005617687.tif 000025
【図２５】
0005617687.tif 000026
【図２６】
0005617687.tif 000027
【図２７】
0005617687.tif 000028
【図２８】
0005617687.tif 000029